(57)【特許請求の範囲】
【請求項１】
放送された音声番組と上記音声番組に関する情報であり上記音声番組とは異なるデータである放送された付加情報を受信し、上記音声番組を再生するデジタル音声番組受信装置において、
上記音声番組とこれに対応する上記付加情報とを受信する受信手段と、
上記音声番組を再生する再生手段と、
上記付加情報に基づいて、上記音声番組に関する情報を表示する表示手段と、
再生された上記音声番組に関する上記付加情報を複数記録する記録手段と、
上記付加情報の記録を制御する制御手段と、
上記付加情報の記録タイミングとして、
楽曲の一定時間、又は一定割合を聴取したときに現在の楽曲に関する上記付加情報を記録するという第１のタイミング、
楽曲の全部を聴取したときに現在の楽曲に関する上記付加情報を記録するという第２のタイミング、
新しい楽曲に変わったときに直前の楽曲に関する上記付加情報を記録するという第３のタイミング、
のうちの少なくとも一つの設定が入力される設定入力手段とを有する
デジタル音声番組受信装置。
【請求項２】
請求項１記載のデジタル音声番組受信装置において、
上記番組情報を表示する表示手段を有し、
上記記録タイミングにより上記記録手段に記録された番組情報を、上記表示手段に一覧表形式で表示する
デジタル音声番組受信装置。
【請求項３】
請求項１記載のデジタル音声番組受信装置において、
上記記録タイミングにより上記記録手段に記録された番組情報の数が一定件数を超えたら、古い番組情報から順に上記記録手段から削除する
デジタル音声番組受信装置。
【請求項４】
請求項１記載のデジタル音声番組受信装置において、
上記設定入力手段では、上記記録タイミングの設定が選択的に入力される
デジタル音声番組受信装置。
【請求項５】
請求項１記載のデジタル音声番組受信装置において、
上記設定入力手段では、更に、上記付加情報が上記記録タイミングで記録される期間である記録期間の設定が入力される
デジタル音声番組受信装置。
【請求項６】
請求項５記載のデジタル音声番組受信装置において、
上記設定入力手段では、上記記録期間として、
現在からユーザが指定した時間までの間である第１の期間、
ユーザが指定したある時刻から、ユーザが指定した次の時刻までの間である第２の期間、
ユーザが指定した番組が放送される間である第３の期間、
ユーザが記録開始のキー入力をしたときから、記録停止のキー入力をしたときまでの間である第４の期間、
のうちの任意の期間の設定が選択的に入力される
デジタル音声番組受信装置。
【請求項７】
請求項１記載のデジタル音声番組受信装置において、
上記設定入力手段では、上記記録タイミングとして、
上記第１のタイミング、上記第２のタイミング、上記第３のタイミング、のうちの任意のタイミングの設定が選択的に入力される
デジタル音声番組受信装置。
【請求項８】
放送された音声番組と上記音声番組に関する情報であり上記音声番組とは異なるデータである放送された付加情報を受信し、上記音声番組を再生するデジタル音声番組受信方法において、
上記音声番組とこれに対応する上記付加情報とを受信する受信ステップと、
上記音声番組を再生する再生ステップと、
上記付加情報に基づいて、上記音声番組に関する情報を表示する表示ステップと、
再生された上記音声番組に関する上記付加情報を複数記録する記録ステップと、
上記付加情報の記録を制御する制御ステップと、
上記付加情報の記録タイミングとして、
楽曲の一定時間、又は一定割合を聴取したときに現在の楽曲に関する上記付加情報を記録するという第１のタイミング、
楽曲の全部を聴取したときに現在の楽曲に関する上記付加情報を記録するという第２のタイミング、
新しい楽曲に変わったときに直前の楽曲に関する上記付加情報を記録するという第３のタイミング、
のうちの少なくとも一つの設定が入力される設定入力ステップとを含む
デジタル音声番組受信方法。
【発明の詳細な説明】
【技術分野】
【０００１】
本発明は、本発明は、例えば、デジタル衛星放送受信機や文字多重放送受信機に適用して好適なデジタル音声番組受信装置及びデジタル音声番組受信方法に関するものである。
【背景技術】
【０００２】
送信している番組のプログラムタイプ（ＰＴＹ）が付加された信号を復調する受信機において、使用者の選択する頻度が高い番組のＰＴＹを自動的に検出し、使用者がＰＴＹを設定することなく、簡単に番組自動選曲を行うことができるデジタル音声放送受信機が開示されている(特許文献１参照)。
【０００３】
上述したデジタル音声放送受信機は、受信した信号が復調部で音声信号とＰＴＹに復調され、使用者がボタンを押したときメモリがＰＴＹコードを記憶し、同一ＰＴＹカウント部がメモリに記憶されたデータから各ＰＴＹコードが選択された回数をカウントし、メモリがその結果を記憶し、優先順位決定部がメモリのデータの大きい順にＰＴＹを並び替え、メモリがその結果を記憶し、コントローラがメモリに記憶されたＰＴＹの順でＰＴＹサーチを行うものである。このようなデジタル音声放送受信機は、受信した番組情報を即時表示するようにしていた。また、この番組情報を常に記録するようにしていた。
【特許文献１】特開平８−３３０９１１号公報
【発明の開示】
【発明が解決しようとする課題】
【０００４】
しかし、従来のデジタル音声放送受信機は、受信した番組情報を単に即時表示するようにしていたので、過去の複数の番組情報をまとめて、これらを一覧表の形式で表示できないという不都合があった。また、受信した番組情報を単に自動的に記録し、順次更新していくのみであったため、これらの動作を選択的に停止することができず、従って、これらの番組情報を有効に活用することができないという不都合があった。
【０００５】
本発明はこのような点を考慮し、番組情報を有効利用することができるデジタル音声番組受信装置を提供することを目的とするものである。
【課題を解決するための手段】
【０００６】
この発明のデジタル音声番組受信装置は、放送された音声番組と上記音声番組に関する情報であり上記音声番組とは異なるデータである放送された付加情報を受信し、上記音声番組を再生するデジタル音声番組受信装置において、上記音声番組とこれに対応する上記付加情報とを受信する受信手段と、上記音声番組を再生する再生手段と、上記付加情報に基づいて、上記音声番組に関する情報を表示する表示手段と、再生された上記音声番組に関する上記付加情報を複数記録する記録手段と、上記付加情報の記録を制御する制御手段と、上記付加情報の記録タイミングとして、楽曲の一定時間、又は一定割合を聴取したときに現在の楽曲に関する上記付加情報を記録するという第１のタイミング、楽曲の全部を聴取したときに現在の楽曲に関する上記付加情報を記録するという第２のタイミング、新しい楽曲に変わったときに直前の楽曲に関する上記付加情報を記録するという第３のタイミング、のうちの少なくとも一つの設定が入力される設定入力手段とを有するものである。
【０００７】
このようなデジタル音声番組受信装置によれば以下の作用をする。
受信手段は、音声番組とこれに対応する付加情報とを受信する。再生手段は、音声番組を再生する。表示手段は、付加情報に基づいて、音声番組に関する情報を表示する。記録手段は、再生された音声番組に関する付加情報を複数記録する。制御手段は、付加情報の記録を制御する。設定入力手段は、付加情報の記録タイミングとして、楽曲の一定時間、又は一定割合を聴取したときに現在の楽曲に関する付加情報を記録するという第１のタイミング、楽曲の全部を聴取したときに現在の楽曲に関する付加情報を記録するという第２のタイミング、新しい楽曲に変わったときに直前の楽曲に関する付加情報を記録するという第３のタイミング、のうちの少なくとも一つの設定が入力される。
【００１０】
また、この発明のデジタル音声番組受信方法は、放送された音声番組と上記音声番組に関する情報であり上記音声番組とは異なるデータである放送された付加情報を受信し、上記音声番組を再生するデジタル音声番組受信方法において、上記音声番組とこれに対応する上記付加情報とを受信する受信ステップと、上記音声番組を再生する再生ステップと、上記付加情報に基づいて、上記音声番組に関する情報を表示する表示ステップと、再生された上記音声番組に関する上記付加情報を複数記録する記録ステップと、上記付加情報の記録を制御する制御ステップと、上記付加情報の記録タイミングとして、楽曲の一定時間、又は一定割合を聴取したときに現在の楽曲に関する上記付加情報を記録するという第１のタイミング、楽曲の全部を聴取したときに現在の楽曲に関する上記付加情報を記録するという第２のタイミング、新しい楽曲に変わったときに直前の楽曲に関する上記付加情報を記録するという第３のタイミング、のうちの少なくとも一つの設定が入力される設定入力ステップとを含むものである。
【００１１】
このようなデジタル音声番組受信方法によれば以下の作用をする。
受信ステップは、音声番組とこれに対応する付加情報とを受信する。再生ステップは、音声番組を再生する。表示ステップは、付加情報に基づいて、音声番組に関する情報を表示する。記録ステップは、再生された上記音声番組に関する付加情報を複数記録する。制御ステップは、付加情報の記録を制御する。設定入力ステップは、付加情報の記録タイミングとして、楽曲の一定時間、又は一定割合を聴取したときに現在の楽曲に関する付加情報を記録するという第１のタイミング、楽曲の全部を聴取したときに現在の楽曲に関する付加情報を記録するという第２のタイミング、新しい楽曲に変わったときに直前の楽曲に関する付加情報を記録するという第３のタイミング、のうちの少なくとも一つの設定が入力される。
【発明の効果】
【００１４】
この発明のデジタル音声番組受信装置によれば、受信手段により音声番組とこれに対応する付加情報とを受信し、再生手段により音声番組を再生し、表示手段により付加情報に基づいて音声番組に関する情報を表示し、記録手段により再生された音声番組に関する付加情報を複数記録し、制御手段により付加情報の記録を制御し、設定入力手段により、付加情報の記録タイミングとして、楽曲の一定時間、又は一定割合を聴取したときに現在の楽曲に関する付加情報を記録するという第１のタイミング、楽曲の全部を聴取したときに現在の楽曲に関する付加情報を記録するという第２のタイミング、新しい楽曲に変わったときに直前の楽曲に関する付加情報を記録するという第３のタイミング、のうちの少なくとも一つの設定が入力される。これにより、音声付加情報を受信したときに、設定入力手段により使用者が設定した設定条件で音声付加情報を自動的に記録することができるので、使用者が音声付加情報を記録するタイミングを任意に設定することにより、使用者にとって有用な情報を得ることができるという効果を奏する。
【００１５】
また、この発明のデジタル音声番組受信装置は、上述において、設定入力手段では、記録タイミングの設定が選択的に入力されるようにしたので、各チャンネルをサーチするだけの場合を除いて、有用な音楽番組の番組情報のみを記録手段に記録することができるという効果を奏する。
【００１６】
また、この発明のデジタル音声番組受信装置は、上述において、設定入力手段では、更に記録期間の設定が入力されるようにしたので、繰り返して記録された番組情報の記録回数から聴取時間を判断することができ、これにより、例えば、記録回数が多いときは重要番組情報である等の番組情報の優先順位を判断することができるという効果を奏する。
【００１７】
また、この発明のデジタル音声番組受信装置は、上述において、番組情報を表示する表示手段を有し、記録タイミングにより記録手段に記録された番組情報を、表示手段に一覧表形式で表示するようにしたので、使用者にとって有用な番組情報を一見して視覚により把握することができ、使用者はこの一覧表のうちから必要な番組情報を利用することができるという効果を奏する。
【００１８】
また、この発明のデジタル音声番組受信装置は、上述において、記録タイミングにより記録手段に記録された番組情報の数が一定件数を超えたら、古い番組情報から順に記録手段から削除するようにしたので、古い番組情報に替えて新しい番組情報を記録することにより、自動的に一定件数の最新の番組情報を蓄積することができるという効果を奏する。
【発明を実施するための最良の形態】
【００１９】
以下、図面を参照しながら本発明の一実施の形態について説明する。本実施の形態のデジタル音声放送受信装置は、文字情報からなる番組情報を受信したときに、使用者が設定した方法により、自動的に記録又は消去するようにし、また、記録した番組情報を一覧表形式で表示するようにしたので、使用者がこの番組情報を記録又は消去するタイミングを設定することにより、使用者にとって有用な情報を得ることができ、また、これらを一覧表形式で表示することによって、使用者がこれらの情報を有効に利用することができるものである。
【００２０】
図１に、本実施の形態のデジタル音声放送受信装置の構成を示す。このデジタル音声放送受信装置は、音声信号８からなる音声番組と同時に音声付加情報である楽曲情報９を多重して送信するデジタル音声放送を受信するデジタル音声放送受信装置である。図１において、本実施の形態のデジタル音声放送受信装置は、送信された電波を受信するアンテナ１と、アンテナ１により受信された電波から同一の周波数帯域の音声信号８とこれと同時に多重して送信される楽曲情報９とを同調して検出するチューナ２と、チューナ２により検出された音声信号８とこれと同時に多重して送信される楽曲情報９とを分離して出力するデコーダ３と、デコーダ３により分離された楽曲情報９を所定の設定条件に基づいて記録する記憶装置５と、所定の設定条件を入力するキー６と、キー６により入力された所定の設定条件により記憶装置５の記録に関する動作を制御するマイクロコンピュータ（以下、マイコンという）４と、マイコン４の制御により記憶装置５の記録動作のスイッチングを行うスイッチ１０と、記憶装置５に記録された楽曲情報９を一覧表形式で表示する画面表示装置７とを有して構成される。
【００２１】
マイコン４は、使用者がキー６を用いて所定の設定条件を入力することにより、予め、楽曲情報９を記憶装置５に記録するタイミングを設定、記憶している。キー６は、上述したタイミングを、以下のような複数のうちから任意のタイミングを選択的に入力設定する機能を有する。第１のタイミングは、楽曲の一定時間、又は一定割合を聴取したら、現在の楽曲情報を記憶装置５に記録するものである。第２のタイミングは、楽曲の全部を聴取したら、現在の楽曲情報を記憶装置５に記録するものである。第３のタイミングは、新しい楽曲に変わったら、直前の楽曲情報を記憶装置５に記録するものである。第４のタイミングは、楽曲情報に使用者が任意に設定した文字列が含まれているときに、その楽曲情報を記憶装置５に記録するものである。第５のタイミングは使用者がキー入力をしたときに受信している楽曲情報を記憶装置５に記録するものである。マイコン４は、上述した複数のうちから任意のタイミングを選択的に設定する機能を有する。
【００２２】
また、マイコン４は、使用者がキー６を用いて所定の設定条件を入力することにより、予め、楽曲情報９を記憶装置５に記録する期間を設定、記憶している。キー６は、上述した期間を、以下のような複数のうちから任意の期間を選択的に入力設定する機能を有する。第１の期間は、現在から指定した時間の間だけ繰り返して現在の楽曲情報を記憶装置５に記録するものである。第２の期間は、指定したある時刻から、指定した次の時刻までの間だけ、繰り返して現在の楽曲情報を記憶装置５に記録するものである。第３の期間は、指定した番組の間だけ、繰り返して指定した番組の楽曲情報を記憶装置５に記録するものである。第４の期間は、使用者が記録開始のキー入力をしたときから、記録停止のキー入力をしたときまで、繰り返してその楽曲情報を記憶装置５に記録するものである。マイコン４は、上述した複数のうちから任意の期間を選択的に設定する機能を有する。
【００２３】
また、マイコン４は、使用者がキー６を用いて所定の設定条件を入力することにより、予め、楽曲情報９を記憶装置５に記録する複数の上述したタイミング及び期間を組み合わせて設定する機能を有する。
【００２４】
また、マイコン４は、使用者がキー６を用いて所定の設定条件を入力することにより、楽曲情報９を記憶装置５から消去するように設定する機能を有する。キー６は、上述したタイミングを、以下のような複数のうちから任意のタイミングを選択的に入力設定する機能を有する。第１のタイミングは、予め、ある一定の件数を超えたら、時間的に古い楽曲情報９を記憶装置５から消去するものである。第２のタイミングは、使用者が画面表示装置７の画面上で任意に選択した項目の楽曲情報を記憶装置５から消去するものである。第３のタイミングは、記憶装置５に記録されて蓄積されている楽曲情報のすべてを消去するものである。マイコン４は、上述した複数のうちから任意のタイミングを選択的に設定する機能を有する。
【００２５】
また、マイコン４は、使用者がキー６を用いて所定の設定条件を入力することにより、予め、楽曲情報９を記憶装置５から消去する複数の上述したタイミングを組み合わせて設定する機能を有する。
【００２６】
また、マイコン４は、使用者がキー６を用いて所定の設定条件を入力することにより、記憶装置５に記録された楽曲情報９を、画面表示装置７に一覧表形式で表示させる機能を有する。また、マイコンは、記憶装置５に楽曲情報９を記録する際にはスイッチ１０をオン（導通状態）にし、記録を停止する際にはスイッチ１０をオフ（非導通状態）にするように制御する機能を有する。
【００２７】
図２に、画面表示装置７に一覧表形式で表示される楽曲情報９の表示例を示す。図２において、記録時刻の古いものから新しい順に１〜９まで表示され、現在放送中のものが放送中として表示される。例えば、１は曲名Ａで演奏者はＡ、２は曲名Ｂで演奏者はＢ、３は曲名Ｃで演奏者はＣ、４は曲名Ｄで演奏者はＤ、５は曲名Ｅで演奏者はＥ、６は曲名Ｆで演奏者はＦ、７は曲名Ｇで演奏者はＧ、８は曲名Ｈで演奏者はＨ、９は曲名Ｉで演奏者はＩ、現在放送中は曲名Ｊで演奏者はＪと表示される。なお、音声付加情報は、この例に限らず、曲の演奏時間、レーベル等を有してもよい。
【００２８】
このように構成された本実施の形態のデジタル音声放送受信装置の基本動作を図1に示すブロック図を用いて以下に説明する。アンテナ１を介して、チューナ２は、送信された電波を受信し、受信された電波から同一の周波数帯域の音声信号とこれと同時に多重して送信される音声付加情報とを同調して検出する。デコーダ３は、チューナ２により検出された音声信号とこれと同時に多重して送信される音声付加情報とを分離して出力する。記憶装置５は、デコーダ３により分離された音声付加情報を所定の設定条件に基づいて記録する。キー６は、所定の設定条件を入力する。マイコン４は、キー６により入力された所定の設定条件により記憶装置５の記録に関する動作を制御する。画面表示装置７は、記憶装置５に記録された音声付加情報を一覧表形式で表示する。
【００２９】
マイコン４は、使用者がキー６を用いて所定の設定条件を入力することにより、予め、音声付加情報を記憶装置５に記録するタイミングを設定、記憶している。キー６は、上述したタイミングを、複数のうちから任意のタイミングを選択的に入力設定する。マイコン４は、複数のうちから任意のタイミングを選択的に設定する。
【００３０】
また、マイコン４は、使用者がキー６を用いて所定の設定条件を入力することにより、予め、音声付加情報を記憶装置５に記録する期間を設定、記憶している。キー６は、上述した期間から、任意の期間を選択的に入力設定する。マイコン４は、複数のうちから任意の期間を選択的に設定する。
【００３１】
また、マイコン４は、使用者がキー６を用いて所定の設定条件を入力することにより、予め、音声付加情報を記憶装置５に記録する上述したタイミング及び期間を組み合わせて設定する。
【００３２】
また、マイコン４は、使用者がキー６を用いて所定の設定条件を入力することにより、音声付加情報を記憶装置５から消去するように設定する。キー６は、タイミングのうち、複数のうちから任意のタイミングを選択的に入力設定する。マイコン４は、複数のうちから任意のタイミングを選択的に設定する。
【００３３】
また、マイコン４は、使用者がキー６を用いて所定の設定条件を入力することにより、予め、音声付加情報を記憶装置５から消去する複数のタイミングを組み合わせて設定する。
【００３４】
また、マイコン４は、使用者がキー６を用いて所定の設定条件を入力することにより、記憶装置５に記録された音声付加情報を、画面表示装置７に一覧表形式で表示させる。
【００３５】
このように構成された本実施の形態のデジタル音声放送受信装置のマイコン４の動作を図３〜図５に示すフローチャートを用いて以下に説明する。設定条件として、以下の２つのタイミングを組み合わせて設定する例を示す。具体的には上述した、第１のタイミングにより、楽曲を一定時間（ｎ分、ただしｎは自然数。）聴取したら、現在の楽曲情報を記憶装置５に記録し、第３のタイミングにより、新しい楽曲に変わったら、直前の楽曲情報を記憶装置５に記録する。
【００３６】
図３において、ステップＳ１において音声付加情報を取得したとき、具体的にはマイコン４が音声付加情報を取得したことを認識したとき、ステップＳ１〜ステップＳ１２に示すメインフローチャートの動作がスタートする。ステップＳ２において、取得した音声付加情報が「前回取得したもの」と異なるか否かを判断する。具体的には、マイコン４が記憶装置５に記憶された音声付加情報のうち前回記憶したものと一致するものがあるか否かを判断する。ステップＳ２で取得した音声付加情報が「前回取得したもの」と異なる（別の曲）と判断したときは、ステップＳ３へ進む。また、ステップＳ２で取得した音声付加情報が「前回取得したもの」と同じ（曲は変わっていない）と判断したときは、ステップＳ９へ進む。
【００３７】
まず、取得した音声付加情報が「前回取得したもの」と異なる（別の曲）ときの処理について説明する。ステップ３において、「一定時間聞いたら記録するためのチェック」を行っていない状態にする。具体的には、マイコン４が、記憶装置５の「一定時間聞いたら記録するためのチェック」のフラグをチェックを行っていない状態にする。ステップＳ４において、前回取得した音声付加情報は、曲情報リストの最後尾に追加されているか否かを判断する。具体的には、マイコン４が、前回取得した音声付加情報が記憶装置５に記憶されている曲情報リストの最後尾に追加されていると一致するか否かを、判断する。曲情報リストとは、例えば、図２に示した音声付加情報の一覧表形式のリスト情報をいう。
【００３８】
ステップＳ４において、前回取得した音声付加情報は、曲情報リストの最後尾に追加されていると判断されたときは、ステップＳ８へ進む。また、前回取得した音声付加情報は、曲情報リストの最後尾に追加されていないと判断されたときは、ステップＳ５へ進む。ステップＳ５において、曲情報リストの件数が最大記録件数以上であるか否かを判断する。具体的には、マイコン４が、記憶装置５に記憶されている曲情報リストの記録件数が予め設定された最大記録件数以上であるか否かを、判断する。曲情報リストの件数が最大記録件数以上であるときは、ステップＳ６へ進む。また、曲情報リストの件数が最大記録件数以上でないときは、ステップＳ７へ進む。
【００３９】
ステップＳ６において、曲情報リストの件数が最大記録件数以上であるときは、曲情報リストから最も古いデータを１件消去する。具体的には、マイコン４が、記憶装置５に記憶されている曲情報リストの記録件数が予め設定された最大記録件数以上であるとき、最初に記録された最も古いデータを記憶装置５に記憶されている曲情報リストから消去し、記録されている曲情報リストの件数を最大記録件数−１にする。ステップＳ７において、曲情報リストの件数が最大記録件数以上でないときは、曲情報リストに前回の音声付加情報を記録する。具体的には、マイコン４が、記憶装置５に記憶されている曲情報リストの最後尾に前回の音声付加情報を、記録する。そして、ステップＳ８において、現在取得している音声付加情報を「前回取得したもの」として記憶する。具体的には、マイコン４は、現在取得している音声付加情報を前回取得したとして、記憶装置５の「前回取得したもの」の領域に記憶する。そして、後述するステップＳ１２へ進む。
【００４０】
次に、取得した音声付加情報が「前回取得したもの」と同じ（曲は変わっていない）ときの処理を説明する。図４に示すステップＳ９において、「一定時間聞いたら記録するチェック」を行ったか否かを判断する。具体的には、マイコン４が、記憶装置５の「一定時間聞いたら記録するためのチェック」のフラグがチェックを行った状態になっているか否かを判断する。ステップＳ９において「一定時間聞いたら記録するチェック」を行ったときはステップＳ１２へ進む。また、ステップＳ９において「一定時間聞いたら記録するチェック」を行っていないときはステップＳ１０へ進む。ステップＳ１０において、「一定時間聞いたら記録するチェック」を行っていないときは、現在取得している曲の残り時間がｎ分以上あるか否かを判断する。具体的には、マイコン４が、現在取得している曲の音声付加情報の曲の時間から現在の曲の取得時間を引いた時間がｎ分以上であるか否かを、判断する。そして、ステップＳ１１において、ｎ分後に起動されるタイマーをセットして「一定時間聞いたら記録するチェック」を行ったことにする。具体的には、マイコン４は、内蔵されるタイマーをｎ分後に起動されるようにセットし、一定時間音声信号及び音声付加情報を受信したら記憶装置５に音声付加情報を記録する処理を、行ったこととして処理する。ステップＳ１２において、次の音声付加情報を取得するまで待つ。具体的には、マイコン４が音声付加情報を受信したことを認識するまでウエイト状態にする。以上で、メインフローチャートの動作が終了する。
【００４１】
次に、タイマー処理について図５に示すステップＳ２０〜ステップＳ２４を用いて説明する。ステップＳ２０において、ｎ分後にタイマーが起動されたとき、具体的にはマイコン４が、内蔵されるタイマーがｎ分後に起動されたことを、認識したとき、ステップＳ２０〜ステップＳ２４に示すタイマー処理フローチャートの動作がスタートする。
【００４２】
ステップＳ２１において、前回取得した音声付加情報は、曲情報リストの最後尾に追加されているか否かを判断する。具体的には、マイコン４が、前回取得した音声付加情報が記憶装置５に記憶されている曲情報リストの最後尾に追加されているものと一致するか否かを、判断する。曲情報リストとは、例えば、図２に示した音声付加情報の一覧表形式のリスト情報をいう。
【００４３】
ステップＳ２１において、前回取得した音声付加情報は、曲情報リストの最後尾に追加されていると判断されたときは、ステップＳ２５へ進む。また、前回取得した音声付加情報は、曲情報リストの最後尾に追加されていないと判断されたときは、ステップＳ２２へ進む。ステップＳ２２において、曲情報リストの件数が最大記録件数以上であるか否かを判断する。具体的には、マイコン４が、記憶装置５に記憶されている曲情報リストの記録件数が予め設定された最大記録件数以上であるか否かを、判断する。曲情報リストの件数が最大記録件数以上であるときは、ステップＳ２３へ進む。また、曲情報リストの件数が最大記録件数以上でないときは、ステップＳ２４へ進む。
【００４４】
ステップＳ２３において、曲情報リストの件数が最大記録件数以上であるときは、曲情報リストから最も古いデータを１件消去する。具体的には、マイコン４が、記憶装置５に記憶されている曲情報リストの記録件数が予め設定された最大記録件数以上であるとき、最初に記録された最も古いデータを記憶装置５に記憶されている曲情報リストから消去し、記録されている曲情報リストの件数を最大記録件数−１にする。ステップＳ２４において、曲情報リストに現在取得している音声付加情報を記録する。具体的には、マイコン４が、記憶装置５に記録されている曲情報リストの最後尾に現在の音声付加情報を記録する。そして、ステップＳ２５において、タイマー処理が終了する。具体的には、マイコン４がタイマー起動による処理を停止する。以上で、タイマー処理の動作が終了する。
【００４５】
上述した本実施の形態のデジタル音声放送受信装置によれば、受信しているだけで過去に放送された楽曲情報の一覧が画面表示装置７上に表示されるので、使用者はこの楽曲情報の一覧を見ることにより、これらの情報を有効に利用することができる。
【００４６】
また、上述したようにして、自動的に記録された音声付加情報は、使用者が所定記録件数で自動的に記録を停止するようにして、記憶装置５において、記憶保存することができる。
【００４７】
また、上述したようにして、これらの記憶装置５に蓄積された音声付加情報を、自動的に、又はユーザーのキー入力により意志で、任意に並べ替えたり、消去したりすることができると共に、これらの記憶装置５に蓄積された音声付加情報を、例えば、ビデオプリンター等を用いて印刷したときに、適切な大きさ（例えば、カセットケースやＭＤ（ミニディスク）のラベル等の大きさ）になるように画面表示装置７上に表示させたり、他の電子機器に電送して利用することが可能になる。
【００４８】
上述した本実施の形態のデジタル音声放送受信装置は、音声信号８からなる音声番組と同時に音声付加情報としての楽曲情報９を多重して送信するデジタル音声放送を受信するデジタル音声放送受信装置において、音声信号８及び音声付加情報としての楽曲情報９を有する受信信号を受信する受信手段としてのチューナ２と、受信手段としてのチューナ２により受信された音声信号８及び音声付加情報としての楽曲情報９を有する受信信号から音声付加情報としての楽曲情報９をデコードするデコード手段としてのデコーダ３と、デコード手段としてのデコーダ３によりデコードされた音声付加情報としての楽曲情報９を所定の設定条件に基づいて記録する記録手段としての記憶装置５と、所定の設定条件を入力する入力手段としてのキー６と、入力手段としてのキー６により入力された所定の設定条件により記録手段としての記憶装置５の記録に関する動作を制御する制御手段としてのマイコン４とを備えたので、音声付加情報としての楽曲情報９を受信したときに、入力手段により使用者が設定した設定条件で音声付加情報としての楽曲情報９を自動的に記録又は消去することができるので、使用者が音声付加情報としての楽曲情報９を記録又は消去するタイミングを任意に設定することにより、使用者にとって有用な情報を得ることができる。
【００４９】
また、上述した本実施の形態のデジタル音声放送受信装置は、上述において、所定の設定条件は、音声番組の一定時間又は一定割合を聴取したら、現在の番組情報を記録手段としての記憶装置５に記録するようにしたので、各チャンネルをサーチするだけの場合を除いて、有用な音楽番組の番組情報のみを記録手段に記録することができる。
【００５０】
また、上述した本実施の形態のデジタル音声放送受信装置は、上述において、所定の設定条件は、現在から指定した時間の間だけ繰り返すようにして、現在の番組情報を記録手段としての記憶装置５に記録するようにしたので、繰り返して記録された番組情報の記録回数から聴取時間を判断することができ、これにより、例えば、記録回数が多いときは重要番組情報である等の番組情報の優先順位を判断することができる。
【００５１】
また、上述した本実施の形態のデジタル音声放送受信装置は、上述において、番組情報を表示する表示手段としての画面表示装置７を有し、所定の設定条件は、記録手段としての記憶装置５に記録された番組情報を、表示手段としての画面表示装置７に一覧表形式で表示するようにしたので、使用者にとって有用な番組情報を一見して視覚により把握することができ、使用者はこの一覧表のうちから必要な番組情報を利用することができる。
【００５２】
また、上述した本実施の形態のデジタル音声放送受信装置は、上述において、記所定の設定条件は、記録手段としての記憶装置５に記録された番組情報の数が一定件数を超えたら、古い番組情報から順に記録手段としての記憶装置５から削除するようにしたので、古い番組情報に替えて新しい番組情報を記録することにより、自動的に一定件数の最新の番組情報を蓄積することができる。
【図面の簡単な説明】
【００５３】
【図１】この発明の一実施の形態のデジタル音声放送受信装置の構成を示すブロック図である。
【図２】この発明の一実施の形態の画面表示装置に一覧表形式で表示される楽曲情報の表示例を示す図である。
【図３】この発明の一実施の形態のデジタル音声放送受信装置のメイン動作を示すフローチャートである。
【図４】この発明の一実施の形態のデジタル音声放送受信装置のメイン動作を示すフローチャートである。
【図５】この発明の一実施の形態のデジタル音声放送受信装置のタイマー動作を示すフローチャートである。
【符号の説明】
【００５４】
１…アンテナ、２…チューナ、３…デコーダ、４…マイコン、５…記憶装置、６…キー、７…画面表示装置、８…音声信号、９…楽曲情報、１０…スイッチ
【図１】
0004470953.tif 000002
【図２】
0004470953.tif 000003
【図３】
0004470953.tif 000004
【図４】
0004470953.tif 000005
【図５】
0004470953.tif 000006